(57)【要約】  【課題】  信頼性が高く常に適切な温度管理が得られるようにしたプラント建屋空調システムを提供すること。  【解決手段】  Ａ階とＢ階、それにＣ階の３階建の屋根裏に空間Ｈを備えた火力発電所の建屋１００において、Ａ、Ｂ、Ｃの各階に電動式のダンパを備えた換気口１〜６を設け、且つ、空間Ｈには暖房用のエアハンドリングユニット１８、１９と排気ファン２２を設ける。そして、夏季運転モードでは、エアハンドリングユニット１８、１９は停止したままにして換気口１〜６を開にし、室温に応じて排気ファン２２を運転停止させ、強制通風と自然換気により室温が維持されるようにし、冬季運転モードでは換気口１〜６を閉じ、エアハンドリングユニット１８、１９を働かせて暖房を効かして室温が維持されるようにしたもの。【選択図】  図１
2005265340.tif 000002
【特許請求の範囲】
【請求項１】
排気ファンによる通風とエアハンドリングユニットによる暖房により建屋内の温度を維持するようにしたプラント建屋内空調システムにおいて、
前記建屋内を外気に連通させる換気口に電動操作により開閉動作する可動ダンパを装備させ、
前記排気ファンと前記エアハンドリングユニット及び前記可動ダンパを夏季運転モードと冬季運転モードの各々により制御する中央制御手段を設け、
前記夏季運転モードでは、前記排気ファンの運転制御と前記可動ダンパによる前記換気口の開閉制御により、前記建屋内の温度を制御し、
前記冬季運転モードでは、前記可動ダンパにより前記換気口を閉じ、前記エアハンドリングユニットの運転制御により前記建屋内の温度が制御されるように構成したことを特徴とするプラント建屋内空調システム。
【請求項２】
請求項１に記載のプラント建屋内空調システムにおいて、
前記中央制御手段による前記夏季運転モードと前記冬季運転モードの切換えが外気温に応じて実行され、
外気温が予め設定してあるモード切換温度以上のとき夏季運転モードになり、
外気温が前記モード切換温度未満の場合は冬季運転モードになることを特徴とするプラント建屋内空調システム。
【請求項３】
請求項１に記載のプラント建屋内空調システムにおいて、
前記夏季運転モードにおける前記建屋内の温度制御が、前記可動ダンパによる前記換気口の開制御と、前記排気ファンの運転停止による自然換気により与えられることを特徴とするプラント建屋内空調システム。
【請求項４】
請求項１に記載のプラント建屋内空調システムにおいて、
前記排気ファンの起動許可条件に、夏季運転モードで前記可動ダンパによる前記換気口の開閉制御が開になっていることと、冬季運転モードで前記エアハンドリングユニットが運転していることの少なくとも一方がインタロックとして与えられていることを特徴とするプラント建屋内空調システム。
【発明の詳細な説明】
【技術分野】
【０００１】
本発明は、プラント建屋の暖房と換気のための空調システムに係り、  特に寒冷地における工業用プラントに好適なプラント建屋内空調システムに関するものである。
【背景技術】
【０００２】
例えば、火力発電所などの工業用プラントでは、その建屋内にタービン、制御盤、ポンプ、配管など、発熱を伴う各種の機器が存在し、放置しておくと、夏季に建屋内の温度が上昇してしまう。
【０００３】
そこで、このような場合、従来から、建屋を換気して除熱を行ない、建屋内を設計温度範囲内に保ち、当該建屋内にある機器の中で高温に弱い機器、例えば電気機器を高温から守るようにしている。
【０００４】
このとき、暖房が不要な地域においては、一般に換気口と排気ファンを用いた換気システムが採用され、換気と除熱が通年、実行されるようになっている。
【０００５】
これに対して、寒冷地においては、冬季の冷気流入により配管などが凍結する虞があり、このため、一般に換気口は設置せず、熱交換器と給気ファンを備えたエアハンドリングユニットに排気ファンを併用した暖房換気システムが採用されている。
【０００６】
しかし、この寒冷地の場合、夏季は給気ファンと換気ファンによる換気と除熱を行ない、冬季は給気ファンと排気ファンによる暖房と換気を行なうことになり、このため、夏季の運転動力(電力)は、暖房が不要な地域の場合に比較して大きくなる。
【０００７】
そこで、熱溜り空間内の温度が設定温度以上になると動作する自力式換気ダンパ装置を用い、高温時にのみ建屋の熱溜り空間内の換気を行うようにした換気システムが従来から知られている(例えば、特許文献１参照。)。
【０００８】
この従来の換気システムでは、夏季など、高温時には自力式換気ダンパ装置が自動的に開き、冬季などで設定温度以下のときは、自力式換気ダンパ装置が閉じた状態を維持する。
【０００９】
従って、上記の換気システムによれば、夏季など高温時には、熱溜り空間内の換気が自動的与えられ、冬季など低温時には、外気から冷気が呼び込まれるのが自動的に防止されることになり、この結果、建屋内居住空間の快適性向上と運転動力の軽滅が実現できるのである。
【特許文献１】特開平７−１２３７９号公報
【発明の開示】
【発明が解決しようとする課題】
【００１０】
上記従来技術は、熱溜り空間内の温度に応じて開閉可能な換気口を用いているので、夏季の運転動力の抑制と、冬季の冷気流入防止は得られるが、自力式ダンパ装置は建屋の偶々の状態が監視できないため、ダンパ故障時に対応が遅れてしまう虞れがある。
【００１１】
また、上記従来技術では、室温による換気口開閉制御で近傍の雰囲気状態で作動するだけであり、このため発熱体となる機器が多い工業用プラント建屋においては、ダンパが自力で局所的に開閉動作してしまう可能性があり、冬季の冷気流入が適切に防止できなくなってしまう虞がある。
【００１２】
本発明の目的は、信頼性が高く常に適切な温度管理が得られるようにしたプラント建屋空調システムを提供することにある。
【課題を解決するための手段】
【００１３】
上記目的は、排気ファンによる通風とエアハンドリングユニットによる暖房により建屋内の温度を維持するようにしたプラント建屋内空調システムにおいて、前記建屋内を外気に連通させる換気口に電動操作により開閉動作する可動ダンパを装備させ、前記排気ファンと前記エアハンドリングユニット及び前記可動ダンパを夏季運転モードと冬季運転モードの各々により制御する中央制御手段を設け、前記夏季運転モードでは、前記排気ファンの運転制御と前記可動ダンパによる前記換気口の開閉制御により、前記建屋内の温度を制御し、前記冬季運転モードでは、前記可動ダンパにより前記換気口を閉じ、前記エアハンドリングユニットの運転制御により前記建屋内の温度が制御されるようにして達成される。
【００１４】
このとき、前記中央制御手段による前記夏季運転モードと前記冬季運転モードの切換えが外気温に応じて実行され、外気温が予め設定してあるモード切換温度以上のとき夏季運転モードになり、外気温が前記モード切換温度未満の場合は冬季運転モードになるようにしても、上記目的を達成することができる。
【００１５】
同じく、このとき、前記夏季運転モードにおける前記建屋内の温度制御が、前記可動ダンパによる前記換気口の開制御と、前記排気ファンの運転停止による自然換気により与えられるようにしても、上記目的を達成することができる。
【００１６】
更に、このとき、前記排気ファンの起動許可条件に、夏季運転モードで前記可動ダンパによる前記換気口の開閉制御が開になっていることと、冬季運転モードで前記エアハンドリングユニットが運転していることの少なくとも一方がインタロックとして与えられるようにしても、上記目的を達成することができる。
【００１７】
上記手段によれば、暖房・換気に必要となる機器を集約的に監視し制御できる。そして、これにより外気温に応じて換気ロを開閉させ、外気温が設定温度以上のときは換気ロを開き、自然換気状態にすることにより運転動力を低減させ、設定温度以下のとき換気ロを閉じ暖房を確保することにより冷気流入による配管等の凍結を防止することができる。
【００１８】
このため、上記手段では、例えば中央制御装置、開閉制御可能な換気ロ、熱交換器と給気ファンを備えたエアハンドリングユニット、排気ファン、室内温度検出器、及び外気温度検出器から構成される。そして、中央制御装置は前述の機器及び温度検出器を監視し制御するが、このとき中央制御装置で組まれたプログラムにより運転し、以下に述べるような制御を実行することができる。
【００１９】
中央制御装置では、夏季運転モード・冬季運転モードを切り換える為のモード切換温度、及び前記排気ファンを起動する為の排気設定温度を設定することができる。
【００２０】
夏季運転モードと冬季運転モードは、前記モード切換温度に基づいて自動的に切換えられ、外気温(外気温度検出器の計測値)が該モード切換温度以上の場合は夏季運転モード、該モード切換温度未満の場合は冬季運転モードとなる。
【００２１】
まず、夏季運転モードにおいては、換気口は開かれ、エアハンドリングユニットは停止される。一方、冬季運転モードにおいては、換気ロは閉じられ、エアハンドリングユニットは運転される。
【００２２】
このとき、中央制御装置は、運転モード、外気温、室温(室内温度検出器の計測値)、各機器の運転状態及び故障警報を表示する。
【００２３】
また、排気ファンは、排気設定温度に基づき自動で起動・停止され、停止状態で前記室温が排気設定温度以上に上がった場合に起動し、運転状態で室温が該排気設定温度未満に下がった場合に停止する。
【００２４】
中央制御装置のインタロックにより、夏季運転モードでは換気ロが開いていることを、冬季運転モードではエアハンドリングユニットが運転していることを排気ファンの起動許可条件として設定し、建屋内の負圧を防止する。
【発明の効果】
【００２５】
本発明によれば、信頼性が高く常に適切な温度管理が得られるようにしたプラント建屋空調システムを提供することができる。
【発明を実施するための最良の形態】
【００２６】
以下、本発明によるプラント建屋内空調システムについて、図示の実施の形態により詳細に説明する。
【００２７】
図１及び図２は、プラント建屋として、Ａ階とＢ階、それにＣ階の３階建で、屋根裏に空調機器設置スペースとなる空間Ｈを持った、例えば火力発電所の建屋１００に本発明を適用した場合の一実施形態であり、従って、この建屋１００には、図示してないが、例えばＡ階には主機であるタービン発電機が設置され、Ｂ階とＣ階には復水器やポンプなどの各種補機が設置されることになる。
【００２８】
ここで、まず図１は夏季運転モードのときの各機器の状態を表わし、次に図２は冬季運転モードにおける各機器の状態を表わしたもので、このとき、図示してないが、Ｃ階はＢ階に、Ｂ階はＡ階に、それにＡ階は空間Ｈに各々連通されている。なお、これらの図において、矢印は空気の流れを表わしている。
【００２９】
そして、まず、Ａ階には換気口１、２と室温(室内温度)検出器７、８が設けられ、Ｂ階には換気口３、４と室温検出器９、１０が設けられ、そしてＣ階には換気口５、６と室温検出器１１、１２が設けられている。
【００３０】
また、空間Ｈには、外気取入口１４、１５と内気(室内空気)取入口１６、１７を有するエアハンドリングユニット１８、１９が設けてあり、このとき、各エアハンドリングユニット１８、１９からはダクト２０、２１がＣ階床に通じて設けられている。
【００３１】
更に、建屋１００の屋根裏には、空間Ｈから外気に連通した排気ファン２２が２台、設置してあり、建屋１の外部には外気温度検出器２３、２４が設置してある。
【００３２】
ここで、更に、Ａ階には、中央制御装置２５が設置してあり、これに所定のプログラムが格納されたマイコン(コンピュータ)が備えられている。そして、このマイコンに上記した各種の温度検出器で検出した温度が取り込まれ、上記したプログラムにより処理された結果に基づいて、上記した各種の換気口１〜６の開閉と、エアハンドリングユニット１８、１９、それに排気ファン２２の運転が制御されるようになっている。
【００３３】
このため、各換気口１〜６と各取入口１４〜１７は、何れも電動操作により開閉動作する回動ベーン型の可動ダンパを備え、中央制御装置２５から開閉制御されるようになっている。ここで、換気口１〜６については、図１では開いた状態として描かれ、図２では閉じた状態として描かれている。
【００３４】
次に、エアハンドリングユニット１８、１９について説明すると、これは、各々、図３に示すように、ミキシングチャンバ３０とファンチャンバ３１に分かれた筐体によりユニット化されている。このとき、これらミキシングチャンバ３０とファンチャンバ３１は、エアフィルタ３２を挟んで隣接して配置され、このエアフィルタ３２を介して連通されている。
【００３５】
そして、まず、ミキシングチャンバ３０には外気取入口１４、１５と内気取入口１６、１７が配置され、これにより、外気取入口１４、１５を介して外気に連通できるようにされ、内気取入口１６、１７を介してＡ階に連通できるように構成してある。
【００３６】
次に、ファンチャンバ３１は、熱交換器３３と給気ファン３４が設けられている。そして、この給気ファン３４の送風口に各ダクト２０、２１が連通され、これにより、ミキシングチャンバ３０からエアフィルタ３２を介して取り込まれ、熱交換器３３を通過したた空気が、給気ファン３４から各ダクト２０、２１に供給されるようになっている。
【００３７】
このとき、ミキシングチャンバ３０には、ＰＬＣ(プログラマブルコントローラ)を備えたローカル制御盤３５が設置してあり、これにより給気設定温度と外気取入口１４、１５のダンパ最低開度、つまり換気用の最低外気取入量を確保するのに必要な開度が設定できるようにしてある。
【００３８】
次に、図４は、中央制御装置２５に備えてある操作表示盤の一例で、図において、エアハンドリングユニット＃１、＃２がエアハンドリングユニット１８、１９の操作ボタンで、排気ファン＃１、＃２が２台の排気ファン２２の操作ボタンであり、換気口＃１〜＃６は各々換気口１〜６の操作ボタンである。
【００３９】
この操作表示盤には、まず、図４の左側に示されているように、外気温度検出器２３、２４の計測値で与えられる外気温の表示部(a)と、室温(室温検出器７〜１２の計測値)の表示部(b)、自動・手動の操作切換スイッチの設置部(c)、非常停止ボタンの設置部(d)、エアハンドリングユニット１８、１９の運転・停止スイッチと各々の故障警報表示ランプの設置部(e)、それに排気ファン２２の運転・停止スイッチと各々の故障警報表示ランプの設置部(f)が設けられている。
【００４０】
また、同じく右側には、夏季運転モードと冬季運転モードの各々の運転モードについての表示部(g)と、換気ロ１〜６の開・閉スイッチと各々の故障警報表示ランプの設置部(h)が設けられている。
【００４１】
このとき、設置部(c)の操作切換スイッチ、設置部(d)の非常停止ボタン、設置部(e)のエアハンドリングユニット１８、１９、設置部(f)の運転・停止スイッチ、それに設置部(h)の開・閉スイッチは、各々の状態表示も兼ねていて、「運転」と「開」については緑色、「停止」と「閉」については赤色に点灯するようになっている。
【００４２】
次に、この実施形態の動作について説明する。ここで、この実施形態によるシステムでは、運用開始にに際して、まず、運転モードを夏季運転モードと冬季運転モードに切換えるための温度(モード切換温度)と、排気ファン２２を起動するための温度(設定排気温度)を中央制御装置２５のマイコンに設定しておく必要がある。
【００４３】
このため、中央制御装置２５には、図示してないが、例えば定数設定用のテンキーや数字表示部を備えたパネルが設けてあり、ユーザは、システムの運用開始時、或いは任意の時点で、上記した温度など、必要な事項がマイコンに入力できるようになっている。
【００４４】
そして、このとき設定すべき温度のうち、まず、モード切換温度は、このシステムが適用対象としたプラントの設計条件により異なるが、ダンパの凍結や配管の局所的な凍結の防止の見地から、１０℃〜１５℃の温度に設定するのが望ましい。
【００４５】
このとき、短時間に運転モードが頻繁に切り換わったのでは、機器の運転上好ましくないので、タイマー機能などにより、切換えられた夏季及び冬季のいずれかの運転モードが一定時間は維持されるようにした制御が適用されている。
【００４６】
次に、排気設定温度は、これも同様に、プラントの設計条件などにより異なるが、−時的な異常高温の防止の見地から、当該プラントの許容最高設計条件で決まる温度よりも５℃前後低く設定するのが望ましく、従って、そのような温度に設定する。
【００４７】
このときも同じく、短時間で排気ファン２２が頻繁に起動・停止を繰り返すのはファンの運転上好ましくないので、同じくタイマー機能などにより一定時間は運転及び停止のいずれかの状態を保つ、といった制御が適用されている。
【００４８】
このとき、室内温度検出器７〜１２は当該階床の室内で発熱が多いエリアに適宜配置し、中央制御装置２５では、それらの中で最高値を室温として設定表示し、その最高値を排気ファン２２の起動・停止制御に使用する。
【００４９】
また、外気温度検出器２３、２４は建屋１００の周辺の各方位に適宜配置し、中央制御装置２５では、それらのなかで最低温を外気温として設定表示し、その最低値を運転モードの切換制御に使用する。
【００５０】
こうしてモード切換温度と排気設定温度の設定を終われば、システムの運用準備は一応終わるので、ここで、運転を開始するのであるが、このとき、通常は、操作部(c)の『自動』ボタンを押して自動運転を選択する。そして、このときは『自動』ボタンが緑色に点灯し、自動運転であることが表示される。
【００５１】
そうすると、このときは、夏季運転モードと冬季運転モードの切換えが自動的に行われ、外気温がモード切換温度以上のときは夏季運転モードで動作し、外気温がモード切換温度未満のときは冬季運転モードで動作することになる。
【００５２】
そして、エアハンドリングユニット１８、１９の運転・停止と排気ファン２２０起動・停止、それに換気口１〜６の開・閉も自動運転され、このとき、操作部(e)のエアハンドリングユニットの運転・停止スイッチ及び操作部(f)の排気ファンの運転・停止スイッチの操作は無効になり、操作部(h)の換気口の開・閉スイッチの操作も無効になって、いずれも『運転』と『開』のスイッチが緑色に点灯する。
【００５３】
そこで、以下、各運転モード毎に分けて説明する。
【００５４】
・夏季運転モード・
外気温がモード切換温度以上の場合、システムは夏季運転モードに自動的に切換えられる。そして、このとき、エアハンドリングユニット１７、１８は２台とも停止され、従って、このとき各々の『停止』ボタンは赤色に点灯する。
【００５５】
そして、換気ロ１〜６は全て開き、従って、このとき、各々の『開』表示が緑色に点灯するが、ここで、この切換に際しては、先ずエアハンドリングユニット２２を停止させ、停止後に換気口１〜６を開くというインタロック制御が適用されていて、これにより暖房負荷の一時的な変動が防止されるようになっている。
【００５６】
このとき、排気ファン２２は、排気設定温度に基づいて自動的に起動・停止され、停止状態で室温が排気設定温度以上に上がった場合に起動し、換気ロ１〜６が全て開になっている状態で、強制的に換気ロ１〜６から外気を導入させ、空間Ｈから外気に排出させるという強制通風により、室温が排気設定温度を保持するようにされる。
【００５７】
そして、室温が排気設定温度未満に下がった場合は、排気ファン２２を停止させ、全て開になっている換気ロ１〜６から外気が自然に導入され、空間Ｈから外気に排出されることにより、室温が排気設定温度未満を維持する自然換気が働く状態にする。
【００５８】
このとき、更に換気ロ１〜６の開閉を個別に制御して、自然換気による温度維持の制御が得られるようにしてもよい。
【００５９】
そして、室温が排気設定温度未満に下がっているとき、この排気ファン２２の運転による強制通風動作と排気ファン２２を停止させた自然通風動作を室温に応じて適宜択させ、室温が排気設定温度を維持するように制御するのである。
【００６０】
・冬季運転モード・
外気温がモード切換温度未満の場合、システムは冬季運転モードに自動的に切換えられる。そして、このとき、換気ロ１〜６は６箇所全て閉じられるが、エアハンドリングユニット２２は、１台だけが運転される場合と、２台とも全部運転される場合が室温に応じて選択される。従って、各々の『運転』ボタンは、各々の運転状態に応じて緑色が点灯されることになる。
【００６１】
ここで、換気ロ１〜６は、上記したように、６箇所全て閉じられ、従って、このとき各々の『閉』ボタンが赤色に点灯するが、このときも、まず、先に換気口１〜６を閉じ、その後、エアハンドリングユニット２２を起動させるというインタロック制御が適用され、これにより暖房負荷が一時的に変動するのが防止できるようになっている。
【００６２】
ここで、夏季運転モードと冬季運転モードの何れの場合においても、室温が排気設定温度以上になったときは、排気ファン２２を２台全て起動させ(このとき、各々のボタンに緑色の『運転』表示が点灯する)、排気設定温度未満に下がったときは、２台全てを停止させる(このとき各々のボタンに赤色の『停止』表示が点灯する)。
【００６３】
以上は自動運転の場合で、通常は、この自動運転が選択されるが、ここで、例えばシステムの試運転や故障などに際しては『手動』ボタンを押して手動操作が選択される。このとき、『手動』ボタンに緑色が点灯し、手動操作が選択されていることが表示される。
【００６４】
そして、この『手動』操作のときは、換気ロ１〜６の開・閉スイッチ操作、エアハンドリングユニット１８、１９と排気ファン２２の運転・停止スイッチが手動で個別に操作することができるようになる。
【００６５】
具体的には、オペレータが、表示部(a)の外気温と表示部(b)の室温をモニタし、換気ロ１〜６の開閉と、エアハンドリングユニット１８、１９と排気ファン２２の運転と停止を各々個別に制御し、表示部(a)の外気温に対して、表示部(b)の室温が所望の温度範囲に収まるように操作することになる。
【００６６】
このとき、この実施形態では、夏季運転モードにおける排気ファン２２の起動に、換気口１〜６が開いていることが許可条件になるようにインタロックが組み込まれており、これにより建屋１００内が負圧になるのが防止されるようにしてある。
【００６７】
また、このとき、６箇所の換気口と２第の排気ファンでバランスがとれるようにしてあるので、複数箇所にある換気ロ１〜６の故障時などのバランスを考慮し、換気口１〜６が６箇所全て正常に開いている場合だけ排気ファン２２が２台全て起動できるようにしておく。
【００６８】
そして、このとき、換気口１〜６の中でダンパに故障が発生したものについては、直ちに修理する必要があるのはいうまでもないが、正常に開いている換気ロの数が３箇所以上の場合は１台の排気ファン２２のみ起動可能にするが、１箇所以下のときは１台も起動しないというインタロックを組むのが望ましい。
【００６９】
次に、この実施形態では、冬季運転モードにおける排気ファン２２の起動許可には、エアハンドリングユニット１８、１９が運転していることが条件になるようにする。
【００７０】
そして、このときも、夏季運転モードの場合と同様、故障が発生したエアハンドリングユニットには直ちに修理の必要があるが、エアハンドリングユニット１８、１９が正常に運転していなければ排気ファン２２も起動させないというインタロックを組むのが望ましい。
【００７１】
ところで、上記実施形態の場合、エアハンドリングユニットが２台で排気ファンも２台、それに換気口は６箇所の場合であり、従って、上記した故障に際してのインタロックの組合わせがあまり多く得られないが、しかし、対象とするプラントの建屋が大きくて、例えば図５に示すように、エアハンドリングユニットが＃１〜＃４まで４台あり、排気ファンも＃１〜＃４まで４台、それに換気口は＃１〜＃１２まで１２箇所もある場合は、以下に説明するように、かなり自由で細かな組合わせが可能である。
【００７２】
すなわち、換気口が＃１〜＃１２まで１２箇所、全て正常に開いている場合だけ排気ファンは＃１〜＃４まで４台全て起動でき、このとき、故障が発生した換気孔は即時、修理する必要があるが、正常に開いている換気ロの員数が９箇所以上１１箇所までの場合は、起動できる排気ファンの台数は３台のみ、６箇所以上８箇所以下の場合は２台のみ、３箇所以上５箇所以下の場合は１台のみとし、３箇所未満の場合は１台も起動しないというインタロックを組むことができる。
【００７３】
同様に、冬季運転モードにおける排気ファンの起動許可条件については、エアハンドリングユニットが運転していることとするが、このときエアハンドリングユニット＃１〜＃４の内で、＃１〜＃４の排気ファンと同数台が正常に運転していなければ排気ファンも起動しないというインタロックを組むことができる。但し、このときは、夏季運転モードの場合と同様、故障が発生したエアハンドリングユニットには即時、修理が必要であるのはいうまでもない。
【００７４】
ここで、前述の起動許可条件は、自動運転に限らず、手動運転の場合も有効とし、この場合には、前述の夏季運転モードと冬季運転モードの何れかの起動許可条件が満たされていれば起動できるものとする。
【００７５】
ところで、図１と図２の実施形態では、外気温が前記モード切換温度より低い場合(自動操作時の冬季運転モードに相当)、たとえ操作切換スイッチを『手動』にしても、換気口１〜６を『開』にすることはできないように制御し、これにより、いかなるときも、配管などに凍結が発生しないようにすることができる。
【００７６】
そして、この実施形態では、不測の事態が発生した場合、図４の操作部(d)にある非常停止ボタンを押すことにより、換気ロ１〜６の全てが閉に、そして、２台のエアハンドリングユニット１８、１９と同じく２台排気ファン２２が停止に、それぞれ一斉に制御される。
【００７７】
ところで、この実施形態の場合、冬季運転モードにおいては、外気取入ロ１４、１５から取り入れられた外気と内気取入ロ１６、１７から取り入れられた室内の空気はミキシングチャンバ３０の中で混合され、エアフィルタ３２を通過した後、熱交換器３３により暖められ、給気ファン３４によりダクト２０、２１を通って各階の室内に供給されるようになっている。
【００７８】
このとき熱交換器３３による暖気温度の調節は、前記した給気設定温度と、混合空気検出器３６の計測値として与えられるミキシングチャンバ３０内の温度、及び給気温度検出器３７の計測値として与えられる給気ファン３４の出口温度を用い、前記したＰＬＣが必要熱量を計算して制御されるようになっている。
【００７９】
ここで、この熱交換器３３による温度調節においては、前記したように、既にＰＬＣが外気と室内循環空気の混合割合を計算して、ミキシングチャンバ３０の温度が給気設定温度に近づくよう、外気取入ロ１４、１５と内気取入口１６、１７のダンパ開度が調整されており、従って、ここでのエアハンドリングユニット１８、１９に必要な暖房負荷が低減されることになる。
【００８０】
なお、前述した通り、熱交換器３３で温度調節が与えられるので、外気温が前記モード切換温度以上の場合(自動操作時の夏季運転モードに相当)でも、必要であればエアハンドリングユニット１８、１９を手動操作により運転しても問題ない。
【００８１】
従って、以上の実施形態によれば、以下に列挙する効果を得ることができる。
【００８２】
まず、中央制御装置から各機器の状態と温度状態を監視して制御することができるので、故障にも迅速に対応することができる。
【００８３】
また、外気温に基づいて換気ロを開閉させ、冬季は換気ロが開けられないように制御できるので、冬季の冷気流入による配管凍結の虞れがなくなり、夏季の運用においては、通常、自然換気で対応できるので、夏季の運転動力を低減することができる。
【００８４】
更に、建屋内で発熱が多いエリアの室温に基づいて排気ファンの起動と停止ができるので、建屋内の局所的な異常高温発生を抑えることができる。
【００８５】
しかも、排気ファンの起動時、夏季では換気ロが開いていることを、冬季はエアハンドリングユニットが運転されていることを、各々起動許可条件として設定することができ、この場合は建屋内が負圧になるのを防止できる。
【図面の簡単な説明】
【００８６】
【図１】本発明によるプラント建屋内空調システムの一実施形態が夏季運転モードにあるときの説明図である。
【図２】本発明によるプラント建屋内空調システムの一実施形態が冬季運転モードにあるときの説明図である。
【図３】本発明の一実施形態におけるエアハンドリングユニットの詳細構成図である。
【図４】本発明の一実施形態において中央制御装置に備えてある操作表示盤の一例を示す説明図である。
【図５】本発明の一実施形態において中央制御装置に備えてある操作表示盤の他の一例を示す説明図である。
【符号の説明】
【００８７】
１〜６：換気ロ
７〜１２：室内温度検出器
１４、１５：外気取入口
１６、１７：内気取入口
１８、１９：エアハンドリングユニット
２０、２１：ダクト
２２：排気ファン
２３、２４：外気温度検出器
２５：中央制御装置
３０：ミキシングチャンバ
３１：ファンチャンバ
３２：エアフィルタ
３３：熱交換器
３４：給気ファン
３５：ローカル制御盤
３６：混合空気検出器
３７：給気温度検出器
【図１】
2005265340.tif 000003
【図２】
2005265340.tif 000004
【図３】
2005265340.tif 000005
【図４】
2005265340.tif 000006
【図５】
2005265340.tif 000007